(57)【要約】    【課題】  携帯端末機に二次元コードにて荷札データを表示し、この二次元コードをプリンタに接続された読取り装置により読取るだけで荷札が発行できる荷札発行システムおよび荷札発行方法を提供することを課題とする。【解決手段】  発送物６の受注番号、出荷番号、出荷先などの入出荷情報のデータベース５を備え、かつ、データベース５より受注番号ごとに荷札７へ表示する荷札データを抽出するとともに、この荷札データより二次元コードを生成する機能を備えた管理サーバ１と、管理サーバ１に対し発送物６の発送時、二次元コード化された荷札データ３４を要求するとともに、送られてきた荷札データ３４を二次元コードで表示する携帯端末機４と、携帯端末機４に表示された二次元コード８を読取る読取り装置２を備えるとともに、読取り装置２により読取った二次元コード８に基づき荷札７を発行するプリンタ３と、を有することを特徴とする。【選択図】        図１
2005342925.tif 000002
【特許請求の範囲】
【請求項１】
発送物の受注番号、出荷番号、出荷先などの入出荷情報のデータベースを備え、かつ、前記データベースより受注番号ごとに荷札へ表示する荷札データを抽出するとともに、この荷札データより二次元コードを生成する機能を備えた管理サーバと、
前記管理サーバに対し発送物の発送時、前記二次元コード化された荷札データを要求するとともに、送られてきた前記荷札データを二次元コードで表示する携帯端末機と、
前記携帯端末機に表示された前記二次元コードを読取る読取り装置を備えるとともに、前記読取り装置により読取った前記二次元コードに基づき荷札を発行するプリンタと、
を有することを特徴とする荷札発行システム。
【請求項２】
上記携帯端末機は、携帯電話であることを特徴とする請求項１に記載の荷札発行システム。
【請求項３】
前記二次元コードは、受注番号、出荷番号、出荷先などの入出荷情報と、前記荷札に印字する際の文字種、文字サイズ、印字位置、改行などを含む制御コードと、をコード化し、かつ、前記プリンタの制御コードに則して形成されることを特徴とする請求項１に記載の荷札発行システム。
【請求項４】
管理サーバより送信されて携帯端末機に表示された二次元コード情報に基づき、発送物の受注番号、出荷番号、出荷先などの荷札データを表示した荷札をプリンタにて発行する荷札発行方法であって、
前記携帯端末機より前記管理サーバに対し所望の発送物の発送時、荷札に表示する荷札データを要求するデータ要求ステップと、
前記データ要求ステップよりの要求に基づき所望の発送物の前記荷札データを抽出する荷札データ抽出ステップと、
前記荷札データを前記荷札に表示する際の文字種、文字サイズ、印字位置、改行などを含む制御コードを組合せて所望の制御コマンドを作成する荷札情報作成ステップと、
前記制御コマンドに基づき二次元コード化した前記二次元コード情報を生成する二次元コード生成ステップと、
前記荷札データの要求があった携帯端末機に対し、前記二次元コード情報を送信する送信ステップと、
前記携帯端末機に前記二次元コード情報を表示する表示ステップと、
前記携帯端末機に表示された前記二次元コード情報を読取る読取りステップと、
前記読取りステップにより読取られた前記二次元コード情報に基づき前記荷札を作成表示する印字ステップと、
を備えることを特徴とする荷札発行方法。
【発明の詳細な説明】
【技術分野】
【０００１】
本発明は、携帯端末機、特に、近年きわめて安価に利用されている携帯電話を使って荷札を発行する荷札発行システムおよび荷札発行方法に関する。
【背景技術】
【０００２】
従来、各種のサービスを受けるための携帯端末機として携帯電話が使用されるようになってきた。例えば、顧客情報を二次元コード化し、インターネットを介して各顧客の携帯電話に送信し、携帯電話に表示された前記二次元コードを各店舗の端末にて読取って顧客を認証するようなシステムがある（例えば、特許文献１参照）。
これによれば、携帯電話に二次元コードを表示して利用するものの、顧客を特定して認証するために二次元コードを利用するためのものであり、物流に用いるようなものではなかった。
【０００３】
物流に携帯電話を利用したシステムとしては、特許文献２に示すような宅配事業システムが知られている。
これによれば、携帯電話を利用するものの、配達予定時間案と、配達の際に届けることが可能な商品を荷受者の携帯電話に送信するようになっている。
しかしながら、上述したように、従来は、携帯電話（携帯端末機）に二次元コードを表示させて顧客の認証に使ったり、配送予定時間案やお届け商品情報を携帯電話に送信するようなことは行われていたものの、携帯電話に表示させた二次元コードと読取り装置付きプリンタを使って荷札の発行を行うようなシステムはなかった。
据え置きのスタンドアローン型のプリンタにて最新の入出荷情報を参照して荷札等を発行するためには、ＬＡＮ接続するなどの必要があるため、導入費用がかさむという問題があった。
また、携帯電話とプリンタとを組み合わせたスステムにおいて、携帯電話からプリンタに対し赤外線や無線等を使ってデータを直接送信できるようなものは非常に少なく、携帯電話を使って荷札を発行するようなシステムの開発が望まれた。
【特許文献１】特開２００４−１１０６９４号公報
【特許文献２】特開２００２−９２１１０号公報
【発明の開示】
【発明が解決しようとする課題】
【０００４】
本発明は、上記の問題点に着目して成されたものであり、携帯端末機に二次元コードにて荷札データを表示し、この二次元コードをプリンタに接続された読取り装置により読取るだけで荷札が発行できる荷札発行システムおよび荷札発行方法を提供することを課題とする。
【課題を解決するための手段】
【０００５】
請求項１に記載の荷札発行システムは、発送物の受注番号、出荷番号、出荷先などの入出荷情報のデータベースを備え、かつ、前記データベースより受注番号ごとに荷札へ表示する荷札データを抽出するとともに、この荷札データより二次元コードを生成する機能を備えた管理サーバと、前記管理サーバに対し発送物の発送時、前記二次元コード化された荷札データを要求するとともに、送られてきた前記荷札データを二次元コードで表示する携帯端末機と、前記携帯端末機に表示された前記二次元コードを読取る読取り装置を備えるとともに、前記読取り装置により読取った前記二次元コードに基づき荷札を発行するプリンタと、を有することを特徴とする。
また、携帯端末機は、携帯電話を用いるようにできる。
また、二次元コードは、受注番号、出荷番号、出荷先などの入出荷情報と、荷札に印字する際の文字種、文字サイズ、印字位置、改行などを含む制御コードと、をコード化し、かつ、プリンタの制御コードに則して形成されるようにできる。
また、請求項４に記載の荷札発行方法は、管理サーバより送信されて携帯端末機に表示された二次元コード情報に基づき、発送物の受注番号、出荷番号、出荷先などの荷札データを表示した荷札をプリンタにて発行する荷札発行方法であって、前記携帯端末機より前記管理サーバに対し所望の発送物の発送時、荷札に表示する荷札データを要求するデータ要求ステップと、前記データ要求ステップよりの要求に基づき所望の発送物の前記荷札データを抽出する荷札データ抽出ステップと、前記荷札データを前記荷札に表示する際の文字種、文字サイズ、印字位置、改行などを含む制御コードを組合せて所望の制御コマンドを作成する荷札情報作成ステップと、前記制御コマンドに基づき二次元コード化した前記二次元コード情報を生成する二次元コード生成ステップと、前記荷札データの要求があった携帯端末機に対し、前記二次元コード情報を送信する送信ステップと、前記携帯端末機に前記二次元コード情報を表示する表示ステップと、前記携帯端末機に表示された前記二次元コード情報を読取る読取りステップと、前記読取りステップにより読取られた前記二次元コード情報に基づき前記荷札を作成表示する印字ステップと、を備えることを特徴とする。
【発明の効果】
【０００６】
本発明によれば、紙の種類やサイズの指定、開始位置(縦位置、横位置)、文字種、文字サイズ、改行などの制御コードを含んだ二次元コードを携帯端末機に表示し、プリンタに接続された二次元コードの読取り装置にて携帯端末機に表示された二次元コードを読取るだけで、荷札の発行が図れるため、パソコンが不要であり、かつ、プリンタに出力フォーマットが設定されていなくても荷札の発行ができるという効果がある。
【発明を実施するための最良の形態】
【０００７】
以下、本発明の実施の形態による荷札発行システムを図１ないし図８に基づき説明する。
【０００８】
図１は、本発明の荷札発行システムの一実施の形態による構成例を示す概略説明図である。
同図に示すように、本荷札発行システムは、管理サーバ１と、読取り装置としての二次元スキャナ（以下適宜、単にスキャナと称す）２が接続されたプリンタ３と、携帯端末機としての携帯電話４と、から構成される。
管理サーバ１には、図示省略の受注番号、出荷番号、出荷先コードなどの入出荷情報が記憶された入出荷ファイル５ａや、発送物６の図示省略の出荷先コード及び名称などの情報が記憶された得意先マスタ５ｂなどから構成されたデータベース５が備えられている。また、図示省略のＣＰＵ（ｃｅｎｔｒａｌ  ｐｒｏｃｅｓｓｉｎｇ  ｕｎｉｔ）などの働きにより、前記データベース５より荷札７に表示する後述の「荷札データ」を抽出し、かつ、荷札データに基づき二次元コードを生成するなどの処理ができるようになっている。
プリンタ３は、後述の「二次元コード」を読取るためのスキャナ２を備えており、荷札７を印字し発行するための印字装置である。
携帯電話４は、前記管理サーバ１との間でデータ等の送受信が可能な「携帯端末機」としての役目を果たすものであり、表示部４ａを備えており、この表示部４ａに二次元コード８や後述の「受注番号」などの入出荷情報を表示するようになっている。プリンタ３に接続されたスキャナ２で読取る前述の「二次元コード」は、携帯電話４の表示部４ａに表示された二次元コード８である。
【０００９】
図２は、プリンタ３の概略説明図である。同図に示すように、プリンタ３は、台紙３５にラベル片３６が等間隔に仮着されたラベル連続体９を装着する供給軸１０と、検出手段としての反射センサ１１と、印字手段としての印字部１２と、制御部１３と、を備える。
反射センサ１１は、所定の光を出射する発光部１１ａと、発光部１１ａから出射された光のラベル連続体９からの反射光を受光し、受光した光の強度（単位時間当たりの受光量）に対応する電気信号を出力する受光部１１ｂとからなり、ラベル連続体９の裏面に前記発光部１１ａと受光部１１ｂを配し、ラベル連続体９の裏面に印刷等によって形成された図示省略の識別マーク（黒の矩形のマーク）を受光部１１ｂの受光量に基づいて検出する位置検出用のセンサである。
印字部１２は、印字ヘッド１４およびプラテンローラ（以下、適宜、単にプラテンと称す）１５を備えており、プラテン１５は、ベルト１６を介してステッピングモータ（以下、適宜、単にモータと称す）１７に接続されている。また、印字ヘッド１４は、所望の印字データ（図示省略）をラベル片３６に印字できるようになっている。
また、制御部１３は、前記各部と接続されており、各部の動作が制御できるようになっている。
なお、供給軸１０に装着したラベル連続体９は、反射センサ１１を経て印字ヘッド１４およびプラテン１５の間に引出し、印字ヘッド１４とプラテン１５とにより挟持し、ベルト１６を介してモータ１７の回転を伝達してプラテン１５を回転させることにより下流側へと搬送するようになっている。
【００１０】
図３は、図２の実施の形態の電気的な構成例を示すブロック図である。同図に示すように、制御部１３は、主に、各部を制御するＣＰＵ（ｃｅｎｔｒａｌ  ｐｒｏｃｅｓｓｉｎｇ  ｕｎｉｔ）２０と、ＣＰＵ２０の動作を制御する制御プログラムや各種データを記憶するＲＯＭ（ｒｅａｄ  ｏｎｌｙ  ｍｅｍｏｒｙ）２１と、一時的にデータなどを記憶するＲＡＭ（ｒａｎｄｏｍ  ａｃｃｅｓｓ  ｍｅｍｏｒｙ）２２と、印字ヘッド１４を制御する印字制御部２３と、モータ１７を制御するモータ制御部２４と、反射センサ１１の信号を制御するセンサ制御部２５と、二次元スキャナ２の読取りを制御するスキャナ制御部２６と、色々な色のＬＥＤ（Ｌｉｇｈｔ  ｅｍｉｔｔｉｎｇ  ｄｉｏｄｅ）、いわゆる、発行ダイオードの点滅により動作状態を表す表示器２７と、表示器２７を制御する表示制御部２８と、オプションとして、外部機器、例えば、パソコン(以下、適宜、単に、ＰＣと称す)２９との間でデータの授受を可能としたインタフェース部３０と、このインタフェース部３０を制御する外部インタフェース制御部３１と、を備える。
なお、３２は、バッテリを示す。
【００１１】
次に、図４を用いて、管理サーバ１にて抽出され制御コード化された荷札データ３４の概要を説明する。この荷札データ３４は、プリンタ３の決まりに則って作成された制御コマンドであり、制御コマンドの開始を示す“ＥＳＣ(エスケープコード)”と、制御コマンドの終了を示す“Ｚ”の間に各種の設定が行われており、“ＥＳＣ”に続いて、紙の種類およびサイズの指定が設定される。
また、前記紙の種類およびサイズの指定に引き続いては、データが設定されており、データの先頭部分には、図示省略のＩＤとともにデータの開始位置、すなわち、開始の縦位置、横位置、文字種および文字サイズが設定され、これに続いて“Ｄ”のＩＤで定義されたデータが設定される。図示の例では、データの１番目は、固定項目名である「受注Ｎｏ．」が設定され、次いで、可変項目の「受注番号」の実データである「１００１」が抽出されて設定される。
以下、順に、固定項目名である「出荷Ｎｏ．」が設定され、次いで、出荷番号（出荷Ｎｏ）の実データである「１２８４０２３０９７２３５」が抽出、設定される。
次いで、発送日の設定であり、実データの年を表す「０４」、固定項目名の「年」、実データの月を表す「０５」、固定項目名の「月」、実データの日を表す「２５」、固定項目の「日」が抽出および設定される。
次に、出荷先が設定される。固定項目名である「出荷先」、実データの住所を表す「渋谷区恵比寿○−×−△」、会社名および支店名（または店舗名など）の実データである「株式会社ＡＢＣ  東京支社」、実データの出荷先コードを表す「１１２０−０９０３１０」が抽出および設定される。
さらに、発送元が、「株式会社アイウエ商事  大阪支社」、「吹田市豊津町▽番２８号」と設定されている。
これらの荷札データ３４は、管理サーバ１のデータベース５の入出荷ファイル５ａおよび得意先マスタ５ｂなどに基づき抽出されて設定されるものであり、管理サーバ１では、さらに、前記荷札データ３４の制御コマンドを二次元コード化して携帯電話４に送る機能を備えている。
なお、同図の例では、説明の都合上、荷札データ３４の制御コマンドを複数行に分けた例で説明したが、開始の縦位置、横位置、文字種、文字サイズの先頭に付加されたＩＤ(図示省略)と、データのＩＤ(図示の例では、“Ｄ”)とにより区別がつくようになっているため、連続した設定が可能であり、図１の携帯電話４の表示部４ａに表示された二次元コード８は、上記荷札データ３４を連続して二次元バーコード化して生成し表示したものである。
【００１２】
次いで、主に、図５に基づき、荷札７を説明する。
図５は、台紙３５にラベル片３６が等間隔に仮着されたラベル連続体９を示しており、かつ、ラベル片３６は、印字部１２にて所望の前記荷札データ３４が印字された後の荷札７となっている。
同図に示すように、１枚目の荷札７ａは、前記制御コマンド化された荷札データ３４（図４参照）に基づいて印字された状態を示している。なお、２枚目の荷札７ｂの詳細説明は省略してある。
【００１３】
同図の荷札７を印字するためには、図１に示すように、プリンタ３に接続されたスキャナ２にて、携帯電話４の表示部４ａに表示された二次元コード８を読取るだけでよく、スキャナ２を介して前記のような制御コマンド化された荷札データ３４を受取ると、ＲＯＭ２１に設定されたコマンド一覧(図示省略)に従いＣＰＵ２０を介し印字部１２などを作動して荷札７を作成、発行するものである。
【００１４】
次に、図６および図７に基づき、携帯端末機として携帯電話４を使用した場合の一実施の形態を説明する。
図６および図７は、携帯電話４の表示部４ａを示す説明図である。
図６は携帯電話４を操作し、例えば、Ｉモードなどにより管理サーバ１に荷札データ３４の送信を要求し、管理サーバ１より返送された出荷先データ入力画面の一例を示しており、管理サーバ１側より送信する荷札データ３４を特定するため、受注番号の入力を求める「受注Ｎｏ」の固定表示項目３７と入力項目部３８とを表示部４ａに表示した状態を示している。同図に示される要求に従い、入力項目部３８より所望の受注番号を入力して管理サーバ１に送信する。
【００１５】
図７は、前記図６の携帯電話４の表示部４ａより受注番号として「１００１」を入力し、サーバ１より返信された確認画面であり、該当受注番号の出荷Ｎｏ（図示の例では、「１２８４０２３０９７２３５」）、出荷先コード（図示の例では、「１１２０−０９０３１０」）および出荷先名（図示の例では、「株式会社ＡＢＣ  東京支社」）が表示される。
【００１６】
次に、図８のフローチャートに従い、荷札発行システムを説明する。
ステップＳ０１にて、携帯端末機としての携帯電話４より管理サーバ１に対し荷札データ３４の送信を要求する。
ステップＳ０２にて、管理サーバ１では出荷先データ入力画面（図６参照）を編集し、携帯電話４へ送信する。
ステップＳ０３にて、携帯電話４より受注番号（受注Ｎｏ）を入力し、管理サーバ１へ送信する。
ステップＳ０４にて、管理サーバ１ではデータベース５より該当受注番号の図示省略の荷札データを抽出して編集し、ステップＳ０５にて、前記荷札データの中から受注番号、出荷番号、出荷先コード、出荷先名を取出すとともに、確認画面を編集して携帯電話４へ送信する。
ステップＳ０６にて、携帯電話４では確認画面に表示された受注番号、出荷番号、出荷先コード、出荷先名により、要求した該当受注番号の荷札データが抽出されたか否か確認する（図７参照）。
ステップＳ０７にて、内容に間違いがないか判定し、間違いがないと判定された場合は図示省略のＯＫを入力してステップＳ０８に行き、一方、該当受注番号の荷札データでないと判定された場合は、ステップＳ０３に戻って、正しい（必要とする）受注番号を再入力する。
ステップＳ０８では先に抽出した荷札データ（図示省略）に基づき、制御コード化された二次元コード（図４参照）を生成し、携帯電話４へ送信する。
ステップＳ０９では、携帯電話４にて受信した二次元コード８および受注番号５０を表示部４ａに表示する（図１の携帯電話４を参照）。
ステップＳ１０では、プリンタ３に接続されたスキャナ２にて携帯電話４に表示された二次元コード８を読取り、ステップＳ１１では、プリンタ３より荷札７を発行し、発送物６に貼付する。
ステップＳ１２では、携帯電話４より図示省略の「ボタン」を押して発行済荷札７の受注番号をサーバ１に送信し、ステップＳ１３にて、受け取った受信番号に基づき該当発送物６の「出荷済」処理である消し込み（入出荷ファイル５ａの出荷フラグＯＮ）を行って処理を終了する。
【００１７】
以上説明したように、携帯端末機として、近年きわめて安価に利用されている携帯電話４を使って荷札７の発行ができ、携帯電話４に表示された荷札データ３４の二次元コード８は、紙の種類やサイズの指定、開始位置(縦位置、横位置)、文字種、文字サイズ、改行などの制御コードを含んでおり、プリンタ３に接続されたスキャナ２で読取るだけでプリンタ３より「制御コマンド」に従った荷札７が作成、発行できるためパソコンが不要であり、かつ、プリンタ３に出力フォーマット（印字レイアウト）が設定されていなくても荷札の発行ができる。
【００１８】
なお、上記実施の形態の構成及び動作は例であって、本発明の趣旨を逸脱しない範囲で適宜変更することができることは言うまでもない。
【００１９】
例えば、プリンタ１で用いるラベル連続体９として、ラベル片３６が台紙３５に仮着された例で説明したがこれに限定されないことは勿論であり、台紙のない、いわゆる台紙なしラベルであっても構わない。
【図面の簡単な説明】
【００２０】
【図１】本発明の荷札発行システムの一実施の形態による構成例を示す概略説明図である。
【図２】同、プリンタ３の概略説明図である。
【図３】同、図２の電気的な構成例を示すブロック図である。
【図４】同、制御コード化された荷札データの概略説明図である。
【図５】同、図４の荷札データに基づき印字した荷札の概略説明図である。
【図６】同、携帯端末機としての携帯電話を出荷先データ入力画面として使用した表示部の説明図である。
【図７】同、携帯端末機としての携帯電話を確認画面として使用した表示部の説明図である。
【図８】同、荷札発行方法の手順を示すフローチャートである。
【符号の説明】
【００２１】
１    管理サーバ
２    読取り装置(二次元スキャナ、スキャナ)
３    プリンタ
４    携帯端末機（携帯電話）
４ａ  表示部
５    データベース（ＤＢ）
５ａ  入出荷ファイル
５ｂ  得意先マスタ
６    発送物
７    荷札
８    二次元コード
９    ラベル連続体
１０  供給軸
１１  検出手段（反射センサ）
１１ａ  発光部
１１ｂ  受光部
１２  印字手段（印字部）
１３  制御部
１４  印字ヘッド
１５  プラテンローラ(プラテン)
１６  ベルト
１７  ステッピングモータ（モータ）
２０  ＣＰＵ
２１  ＲＯＭ
２２  ＲＡＭ
２３  印字制御部
２４  モータ制御部
２５  センサ制御部
２６  スキャナ制御部
２７  表示器
２８  表示制御装置
２９  パソコン(ＰＣ)
３０  インタフェース部
３１  外部インタフェース制御部
３２  バッテリ
３４  荷札データ
３５  台紙
３６  ラベル片
３７  固定表示項目
３８  入力項目部
５０  受注番号
【図１】
2005342925.tif 000003
【図２】
2005342925.tif 000004
【図３】
2005342925.tif 000005
【図４】
2005342925.tif 000006
【図５】
2005342925.tif 000007
【図６】
2005342925.tif 000008
【図７】
2005342925.tif 000009
【図８】
2005342925.tif 000010